(57)【要約】【課題】複数のコンピュータ間で、データの管理並びに検索を簡易に行うことができる多層ワーク支援装置を提供する。【解決手段】多層ワーク支援装置１０は、対象が、図中の矢印Ａのようなドラッグ操作により、中央のディスプレイ１４ａの方向へ移動されて、ディスプレイ１４ｂの右端からさらに右に移動されると、当該対象を、矢印Ｂのように、中央のディスプレイ１４ａに移動して表示する。表示プログラム２００は、左のディスプレイ１４ｂに対応する制御装置１００ｂから受信したファイル情報に基づいて、検索処理を実行する。表示プログラム２００は、受信したファイル情報に該当するファイル実体が保存されているか否かを判断し、当該ファイル実体が存在する場合には当該ファイル実体を中央のディスプレイ１４ａに表示し、そうでない場合、空白ウインドウを表示する。【選択図】図７
2007156877.tif 000002
【特許請求の範囲】
【請求項１】
少なくとも２つの表示領域と、
前記表示領域それぞれに対応する少なくとも２つのコンピュータと、
前記コンピュータのいずれかに対応する前記表示領域に表示されている対象を、このコンピュータとは異なるコンピュータに対応する前記表示領域に移動して表示させる制御手段と
前記制御手段が前記対象を移動させた際に、前記対象に対して予め設定された処理を実行する処理手段と
を有する多層ワーク支援装置。
【請求項２】
前記制御手段に対して、前記表示領域に表示されている対象を、他の表示領域に移動させる指示をする移動指示手段をさらに有する
請求項１に記載の多層ワーク支援装置。
【請求項３】
前記処理手段は、前記対象が前記制御手段により移動された際に、前記対象の保存及び前記対象の関連情報検索の少なくともいずれかの処理を実行する
請求項１に記載の多層ワーク支援装置。
【請求項４】
生体情報を検出する生体情報検出手段をさらに有し、
前記制御手段は、前記生体情報検出手段により検出された生体情報に基づいて、前記表示領域に表示されている対象を移動して表示させる
請求項１に記載の多層ワーク支援装置。
【請求項５】
少なくとも２つの表示領域と、前記表示領域それぞれに対応する少なくとも２つのコンピュータとを有する多層ワーク支援装置において、
前記コンピュータのいずれかに対応する前記表示領域に表示されている対象を、このコンピュータとは異なるコンピュータに対応する前記表示領域に移動して表示させる際に、前記移動に同期して前記対象に対して予め設定された処理をする
多層ワーク支援装置の表示方法。
【請求項６】
少なくとも２つの表示領域と、前記表示領域それぞれに対応する少なくとも２つのコンピュータとを有する多層ワーク支援装置において、
前記コンピュータのいずれかに対応する前記表示領域に表示されている対象を、このコンピュータとは異なるコンピュータに対応する前記表示領域に移動して表示させる際に、前記移動に同期して前記対象に対して予め設定された処理をするステップ
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
多数の業務を多層的に行うことを支援する環境が求められている。このような環境においては、ユーザは、複数のディスプレイ（表示領域に該当）及びコンピュータを用いならが作業を進める場合がある。この場合、ユーザは、複数のコンピュータ間で文書データを管理し、これらのコンピュータから文書データを検索する必要がある。
【０００３】
特許文献１においては、コンピュータ間でのドラッグ操作を可能とし、ドラッグと同時にデータを移行する手法が開示されている。
しかしながら、特許文献１に開示されている手法は、複数コンピュータ間の簡易連携を実現する手法であり、特許文献１においては、複数コンピュータ間での文書移動に伴う文書保存等は開示されていない。
【０００４】
【特許文献１】特開２００１−１３６５０４号公報
【発明の開示】
【発明が解決しようとする課題】
【０００５】
本発明は、上述した背景からなされたものであり、複数のコンピュータ間で、データの管理並びに検索を簡易に行うことができる多層ワーク支援システムを提供することを目的とする。
【課題を解決するための手段】
【０００６】
上記目的を達成するために、本発明に係る多層ワーク支援装置は、少なくとも２つの表示領域と、前記表示領域それぞれに対応する少なくとも２つのコンピュータと、前記コンピュータのいずれかに対応する前記表示領域に表示されている対象を、このコンピュータとは異なるコンピュータに対応する前記表示領域に移動して表示させる制御手段と前記制御手段が前記対象を移動させた際に、前記対象に対して予め設定された処理を実行する処理手段とを有する。
【０００７】
好適には、前記制御手段に対して、前記表示領域に表示されている対象を、他の表示領域に移動させる指示をする移動指示手段をさらに有する。
好適には、前記処理手段は、前記対象が前記制御手段により移動された際に、前記対象の保存及び前記対象の関連情報検索の少なくともいずれかの処理を実行する。
【０００８】
好適には、生体情報を検出する生体情報検出手段をさらに有し、前記制御手段は、前記生体情報検出手段により検出された生体情報に基づいて、前記表示領域に表示されている対象を移動して表示させる。
【０００９】
また、本発明に係る多層ワーク支援装置の表示方法は、少なくとも２つの表示領域と、前記表示領域それぞれに対応する少なくとも２つのコンピュータとを有する多層ワーク支援装置において、前記コンピュータのいずれかに対応する前記表示領域に表示されている対象を、このコンピュータとは異なるコンピュータに対応する前記表示領域に移動して表示させる際に、前記移動に同期して前記対象に対して予め設定された処理をする。
【００１０】
また、本発明に係る多層ワーク支援装置の表示対象移動方法は、例えば、ハードウェアによるボタン形式、タッチパネルによるイベント発生エリア指定形式、温度感知装置によるイベント発生指定形式、及び視線並びに顔面方向検出装置によるイベント発生指定形式の少なくともいずれかの形式の指定装置を入力デバイスとして有する多層ワーク支援装置において、前記指定装置に対する加圧、接触、過熱、注視等により発生された当該イベントを受け付け、表示対象を移動する。
【００１１】
さらに、本発明に係るプログラムは、少なくとも２つの表示領域と、前記表示領域それぞれに対応する少なくとも２つのコンピュータとを有する多層ワーク支援装置において、前記コンピュータのいずれかに対応する前記表示領域に表示されている対象を、このコンピュータとは異なるコンピュータに対応する前記表示領域に移動して表示させる際に、前記移動に同期して前記対象に対して予め設定された処理をするステップを前記多層ワーク支援装置のコンピュータに実行させる。
【発明の効果】
【００１２】
本発明に係る多層ワーク支援装置によれば、複数のコンピュータ間で、データの管理並びに検索を簡易に行うことができる。
【発明を実施するための最良の形態】
【００１３】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００１４】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。このようにして、ディスプレイ１４は、表示領域を構成する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００１５】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００１６】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００１７】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びマウス等のポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００１８】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００１９】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２０】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２１】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２２】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００２３】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００２４】
図３は、多層ワーク支援装置１０の具体的なシステム構成図を例示する図である。
図３に例示するように、制御装置１００ａ〜１００ｃ及びディスプレイ１４ａ〜１４ｃは、パーソナルコンピュータにより実現され、入力装置２６は、キーボード及びマウスにより実現されてもよい。また、中継装置１１２は管理サーバにより実現され、マウス等の入力装置２６は、通信ケーブル２４を介して管理サーバ１１２と接続される。管理サーバ１１２は、入力装置２６の操作要求通りに、出力系である制御装置１００ａ〜１００ｃ及びディスプレイ１４ａ〜１４ｃへの出力切替を行う。管理サーバ１１２は、後述するように管理部、入力位置検出部、処理出力切り替え部、仮想記憶部を構成する。
【００２５】
図４は、ドラッグ操作と、それに伴う移動対象のデータ移動を示した図である。
図４において、データ３４ａ〜３４ｃは、それぞれ記憶装置１１０ａ〜１１０ｃに記憶されているデータである。ポインタ３０ａ〜３０ｃは、それぞれディスプレイ１４ａ〜１４ｃに表示されているポインタである。アイコン３２ａ〜３２ｃは、それぞれデータ３４ａ〜３４ｃがディスプレイ１４ａ〜１４ｃ上に反映されたアイコンである。なお、アイコン３２は、表示上、ポインタ３０と同様に、出力系であるディスプレイ１４に表示されているが、アイコン情報の実体は、処理装置１０２及び記憶装置１１０を含む制御装置１００の系に存在する。
【００２６】
本発明に係る多層ワーク支援装置１０では、複数の処理装置１００及びディスプレイ１４の間で、データの移動が行われる。例えば、アイコン３２ａは、アイコン３２ｂがディスプレイ１４ｂ（制御装置１４ｂに対応するディスプレイ）からディスプレイ１４ａ（制御装置１４ａに対応するディスプレイ）へ移行された結果表示されるものである。
【００２７】
ディスプレイ１４ｂ上に存在するポインタ３０ｂが、入力装置２６を介した操作によりディスプレイ１４ａ上に移動された場合、管理サーバ１１２の入力位置検出部は、ディスプレイ１４ｂ及び制御装置１００ｂから、ディスプレイ１４ａ及び制御装置１００ａに処理出力部の切り替えが行われたことを判定する。その後、管理サーバ１１２の管理部は、制御装置１００ｂにおけるポインタ操作の移行先として、予め定義されている論理的位置関係テーブルに基づいて、制御装置１００ａを選択し、制御装置１００ａが接続可能な状態であるか否かを確認する。さらに、制御装置１００ａが接続可能である場合、管理サーバ１１２の管理部がその結果を受け、管理サーバ１１２の処理切り替え部の表示位置切り替え部は、ディスプレイ１４ｂ及び制御装置１００ｂから、ディスプレイ１４ａ及び制御装置１００ａへ、ポインタ操作を移行する。
【００２８】
このようにして、ディスプレイ１４ｂ上でのポインタ３０ｂの動作は、ポインタ３０ａに引き継がれる。上記の動作中、アイコン３２ｂの移行も要求されている場合、上記切り替え処理過程において、管理サーバ１１２の仮想記憶部は、アイコン３２ｂ及びデータ３４ｂを記憶装置１１０ｂから取得格納し、記憶装置１１０ａへアイコン３２ａ及びデータ３４ａを配信する。これにより、アイコンに関する処理は、制御装置１００ｂから制御装置１００ａへ移行され、アイコン３２ａに対応するデータ３４ａも同様に、制御装置１００ｂの記憶装置１１０ｂから、制御装置１００ａの記憶装置１１０ａへ移行される。ここで、マウス等の入力装置２６は、ディスプレイ１４に表示されている対象を、他のディスプレイ１４に移動させる指示をする移動指示手段を構成する。
【００２９】
図５は、情報アクセス装置１６に表示されるボタン群を例示する図である。
図５に例示するように、ボタン群は、情報指定ボタン１８０−１〜１８０−ｍと、制御ボタン１８２−１〜１８２−ｎとから構成され、それぞれのボタンは押下可能な形及びサイズで表示される。情報指定ボタン１８０は、図中の矢印Ｓで示される情報指定ボタン領域に表示され、制御ボタン１８２は、図中の矢印Ｔで示される制御ボタン領域に表示される。なお、ボタン群を構成するボタン１８の数は本例に限定されず、ボタン１８の配置も図５に示される配置に限定されない。
【００３０】
情報指定ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器に保持されている電子ファイル等が含まれる。
例えば、ボタンＡは、「多重ワーク研究１」の電子ファイルをディスプレイ１４に表示させるボタンである。ユーザがボタンＡを押下すると、多重ワーク研究１の電子ファイルが、ディスプレイ１４ａ〜１４ｃの少なくともいずれかに表示される。また、ユーザが、Ｗｅｂページへアクセスする情報指定ボタン１８０を押下すると、指定されたＷｅｂページが、ディスプレイ１４に表示される。
【００３１】
制御ボタン１８２は、情報指定ボタン１８０により指定される対象に対して、所定の操作を行うボタンである。制御ボタン１８２が押下されると、表示されている対象に対して、所定の演算、検索、対象の移動等が行われる。
例えば、ボタンＢは、ディスプレイ１４においてアクティブ化されている対象（ウインドウ）を移動させるボタンである。左右いずれかのディスプレイ１４ｂ，１４ｃにおいてアクティブ化されている対象に対して、ボタンＢが押下された場合、当該対象は閉じられて、中央のディスプレイ１４ａに表示される。また、中央のディスプレイ１４ａにおいてアクティブ化されている対象に対して、ボタンＢが押下された場合、当該対象は閉じられて、左右いずれかのディスプレイ１４ｂ，１４ｃに表示される。このようにして、移動ボタン１８２−１は、ディスプレイ１４ａ〜１４ｃに表示されている対象を、他のディスプレイ１４ａ〜１４ｃに移動させる指示をする移動指示手段を構成する。
【００３２】
なお、表示する対象の指定、及び対象に対する制御の指定において、入力形式は、ボタン形式に限定されず、例えばプルダウン形式であってもよく、ユーザにより直接入力される形式であってもよい。
【００３３】
図６は、情報指定ボタン１８０それぞれにより指定される対象を管理するファイル情報シートを例示する。
図６に例示するように、ファイル情報シートには、ファイル名、格納先、作成日、更新日、ウインドウサイズ、キーワードが含まれる。
ファイル名は、当該ファイルの名称である。ファイル名は、当該情報指定ボタン１８０が情報アクセス装置１６に表示される際に表示される文字列であってもよく、ファイル名の一部が、情報アクセス装置１６に表示されてもよい。また、ファイル名は、ボタン群に含まれるボタン１８を一意に識別する識別子であってもよい。
【００３４】
格納先は、当該対象が格納されている場所を示し、例えば、ＵＲＬ、ファイル等の対象が保存されている場所へのパス、ＩＰアドレス等が指定されている。
作成日は、ファイルが作成された日時であり、更新日は、ファイルが更新された最新の日時である。また、ウインドウサイズは、当該情報指定ボタン１８０が情報アクセス装置１６に表示される際の大きさである。
キーワードは、当該対象に付与されている関連情報である。キーワードは、１つの対象に対して、複数、設定されてもよい。
【００３５】
ユーザは、情報指定ボタン１８０を押下したり、マウスでクリックしたりして、Ｗｅｂページ、記憶装置１１０に保持されている電子ファイル、ネットワーク２を介して接続された他の電子機器等へのアクセスを指示する。多層ワーク支援装置１０は、ユーザからの指示を受け付けて、ファイル情報シートに基づいて、指示された対象、及び当該対象に関連する対象を、ディスプレイ１４に表示する。関連する対象は、ファイル情報シートのキーワードに基づいて検索される。
【００３６】
次に、本発明に係る多層ワーク支援装置１０の理解を容易にするために、本発明の概要を説明する。
本例では、制御装置１００ｂが、左のディスプレイ１４ｂに加えて、情報アクセス装置１６ａ，１６ｂを制御し、制御装置１００ａが中央のディスプレイ１４ａを制御し、制御装置１００ｃが右のディスプレイ１４ｃを制御している。また、対象が左のディスプレイ１４ｂに表示される場合、当該対象は制御装置１００ｂに記憶されており、対象が中央のディスプレイ１４ａに表示される場合、当該対象は制御装置１００ａに記憶されており、対象が右のディスプレイ１４ｃに表示される場合、当該対象は制御装置１００ｃに記憶されている。
【００３７】
図７は、制御装置１００ｂに対応するディスプレイ１４ｂに表示されている対象を、この制御装置１００ｂとは異なる制御装置１００ａ，１００ｃに対応するディスプレイ１４ａ，１４ｃに移動して表示させる方法を説明する図である。
図７に示すように、情報アクセス装置１６ａのボタンＸが押下されると、ボタンＸにより指定される対象が、例えば左のディスプレイ１４ｂに表示される。多層ワーク支援装置１０は、制御装置１００ｂに記憶されているファイル情報シート（図６）を参照し、ファイル属性及びファイル実体を取得して、左のディスプレイ１４ｂに表示する。
【００３８】
この対象が、図中の矢印Ａのようなドラッグ操作により、中央のディスプレイ１４ａの方向へ移動されて、ディスプレイ１４ｂの右端からさらに右に移動されると、当該対象は、矢印Ｂのように、中央のディスプレイ１４ａに移動されて表示される。
さらに、対象が、右のディスプレイ１４ｂの方向へ移動されて、ディスプレイ１４ａの右端からさらに右に移動されると、当該対象は、矢印Ｃのように、右のディスプレイ１４ｃに移動されて表示される。
なお、対象のディスプレイ１４間の移動は、図中のＶ及びＷで示される移動ボタンにより実行されてもよい。移動ボタンは、制御ボタン１８２の１つとして設けられており、後述する表示プログラム２００を介して、ディスプレイ１４に表示されている対象を、他のディスプレイ１４に移動させる。
【００３９】
対象が左のディスプレイ１４ｂから中央のディスプレイ１４ａに移動される場合、ファイル情報は、制御装置１００ｂにおいて取得された後、制御装置１００ａに対して送信される。制御装置１００ａにおいては、送信されたファイル情報に基づいて、ファイル情報検索処理が行われる。当該ファイル実体が制御装置１００ａの記憶装置１１０に記憶されている場合、ファイル実体がディスプレイ１４ａに表示される。当該ファイル実体が制御装置１００ａの記憶装置１１０に記憶されていない場合、保存処理が実行され、ディスプレイ１４ａには、当該ファイルを保存している旨が示される。なお、対象が中央のディスプレイ１４ａから右のディスプレイ１４ｃに移動される場合も同様である。
【００４０】
図８は、ファイル実体の保存処理中の表示方法を説明する図である。
図８に示すように、対象が他の制御装置１００から移動された際に、他の制御装置１００では、前記対象に対して予め設定された処理が実行される。例えば、ファイル実体が移動先の制御装置１００において記憶されていない場合、当該ファイル実体が移動先の制御装置１００に保存され、移動先のディスプレイ１４ａには空白ウインドウが表示される。本例では、ディスプレイ１４ｂにおいて、図中の矢印Ａのように、対象のウインドウが移動されて、当該ウインドウの右端が欠けた時点で、ディスプレイ１４ａにおいて、同サイズの空白ウインドウが、図中の矢印Ｂのように表示される。空白ウインドウには、対象は表示されておらず、ファイル実体の保存処理中である旨が表示される。さらに、矢印Ｃのように、対象が、ディスプレイ１４ｃに移動された際に、ディスプレイ１４ｃに対応する制御装置１００ｃに記憶されていない場合、ファイル実体が当該制御装置１００ｃに保存され、ディスプレイ１４ｃには空白ウインドウが表示される。
【００４１】
このように、ユーザが、対象をディスプレイ１４ａ〜１４ｃ間で移動させると、移動先のディスプレイ１４ａ〜１４ｃに対応する制御装置１００では、予め設定された処理（本例では、ファイル実体の記憶装置１１０への保存）が実行される。このため、ファイルのバックアップが、ユーザにより意識されることなく、実行される。
【００４２】
次に、本発明に係る多層ワーク支援装置の表示方法を実現する表示プログラム２００について説明する。
図９は、多層ワーク支援装置１０の制御装置１００により実行される表示プログラム２００の構成を示す図である。
図９に示すように、表示プログラム２００は、ユーザインタフェース（ＵＩ）部２０２、通信部２０４、制御部２０６、検索部２０８、表示部２１０、保存部２１２及び情報記憶部２１４を有する。表示プログラム２００は、これらの構成部分により、制御装置１００のいずれかに対応するディスプレイ１４に表示されている対象を、この制御装置１００とは異なる制御装置１００に対応するディスプレイ１４に移動して表示させる際に、前記移動に同期して前記対象に対して予め設定された処理をする。本例では、移動先の制御装置１００において、この制御装置１００は、対象が当該制御装置１００に対応するディスプレイ１４に表示される際に、予め設定された処理として当該対象を保存する。
【００４３】
表示プログラム２００は、例えば、ネットワーク２、通信ＩＦ１０８などを介して処理装置１０２に供給され、メモリ１０６にロードされて、さらに処理装置１０２で動作するＯＳ上で、ハードウェアを具体的に利用して実行される。また、表示プログラム２００は、全ての制御装置１００ａ〜１００ｅにおいて実行されてもよいし、いずれかの制御装置１００において実行されてもよい。
【００４４】
表示プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２１０により制御された情報（画像データ等）及び各構成部分の処理内容などを、ディスプレイ１４及び情報アクセス装置１６に表示する。
【００４５】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００４６】
情報記憶部２１４は、図６に示されるファイル情報シート及び、情報指定ボタン１８０により示される接続先（Ｗｅｂページ等）の最新ファイル、文書作成ソフトウェアあるいは表計算ソフトウェアの電子ファイルなどのファイル実体を記憶する。情報記憶部２１４は、記憶装置１１０（図２）及びメモリ１０６により実現される。
【００４７】
制御部２０６は、ユーザが情報指定ボタン１８０を押下して行う入力、及び入力装置２６を用いて行う入力をＵＩ部２０２を介して受け付け、指定された対象のファイル情報（属性及びファイル実体）を、検索部２０８を介して情報記憶部２１４から取得する。
また、制御部２０６は、他の制御装置１００上で動作する表示プログラム２００の制御部２０６と、通信部２０４を介して、ファイル情報の送受信を行う。制御部２０６は、ファイル情報を受信した場合、後述する検索部２０８を制御して、当該ファイル情報に基づいてファイル情報検索処理を実行させる。当該ファイル情報に対応するファイル実体が、情報記憶部２１４に記憶されていない場合、制御部２０６は、後述する保存部２１２を制御して、ファイル実体を情報記憶部２１４に保存する。
【００４８】
さらに、制御部２０６は、送信されたファイル情報に対応するファイル実体の有無に基づいて、表示部２１０を制御する。
このようにして、制御部２０６は、制御装置１００のいずれかに対応するディスプレイ１４に表示されている対象を、この制御装置１００とは異なる制御装置１００に対応するディスプレイ１４に移動して表示させる制御手段を構成する。
【００４９】
検索部２０８は、情報指定ボタン１８０を介して指定された対象、あるいは送信されたファイル属性を制御部２０６から受け付けて、情報記憶部２１４に記憶されているファイル情報シートを参照してファイル情報検索処理を行う。検索部２０８は、検索結果を制御部２０６に対して出力する。このようにして、検索部２０８は、制御部２０６がファイル情報の送受信を行って対象を移動させた際に、当該対象に対して予め設定された処理（ファイル情報検索処理）を実行する処理手段を構成する。
【００５０】
表示部２１０は、情報指定ボタン１８０を介して指示された対象を表示する。ここで、表示対象は、例えば、業務を実行するためのアプリケーションソフト（表計算ソフト、文書作成ソフト、遠隔会議用ソフト等）のウインドウ表示、Ｗｅｂページの表示等を含む。
【００５１】
また、表示部２１０は、制御部２０６により制御されて、表示プログラム２００が動作する制御装置１００に対応するディスプレイ１４に、ファイル実体の有無に基づいた表示態様で、対象を表示する。表示部２１０は、ファイル実体が情報記憶部２１４に記憶されている場合、当該ファイル実体をディスプレイ１４に表示し、そうでない場合には、同サイズの空白ウインドウを表示する。ここで、表示部２１０は、空白ウインドウ内に、当該ファイルが保存処理中である旨のメッセージを表示する。このようにして、表示部２１０は、制御部２０６がファイル情報の送受信を行って対象を移動させた際に、当該対象に対して予め設定された処理（表示処理）を実行する処理手段を構成する。
【００５２】
保存部２１２は、制御部２０６に制御されて、対象のファイル実体を情報記憶部２１４に保存する。このようにして、保存部２０８は、制御部２０６がファイル情報の送受信を行って対象を移動させた際に、当該対象に対して予め設定された処理（保存処理）を実行する処理手段を構成する。
【００５３】
図１０は、対象の移動先の制御装置１００において、表示プログラム２００により実行される表示方法決定処理（Ｓ１０）を示すフローチャートである。
図１０に示すように、ステップ１００（Ｓ１００）において、表示プログラム２００（図９）の制御部２０６は、他の制御装置１００で動作する表示プログラム２００の制御部２０６から、通信部２０４を介して、当該他の制御装置１００で検索されたファイル情報を受信する。
【００５４】
ステップ１０２（Ｓ１０２）において、制御部２０６は、受信したファイル情報に基づいて、検索部２０８にファイル情報検索処理を実行させる。検索部２０８は、情報記憶部２１４に記憶されているファイル情報シートに基づいて、ファイル実体を検索して、検索結果を制御部２０６に対して出力する。
【００５５】
ステップ１０４（Ｓ１０４）において、制御部２０６は、受信したファイル情報に該当するファイル実体が情報記憶部２１４に存在するか否かを判断する。表示プログラム２００は、該当ファイル実体が存在する場合にはＳ１０８の処理に進み、そうでない場合にはＳ１０６の処理に進む。
ステップ１０６（Ｓ１０６）において、保存部２１２は、制御部２０６に制御されて、ファイル実体を情報記憶部２１４に保存する。
【００５６】
ステップ１０８（Ｓ１０８）において、表示部２１０は、制御部２０６に制御されてディスプレイ１４への対象の表示方法を決定する。より具体的には、表示部２１０は、該当ファイル実体が存在する場合、このファイルをディスプレイ１４にウインドウ表示するように決定する。表示部２１０は、ファイルに対応するアプリケーションソフトを新たに起動させてファイルを表示してもよい。表示部２１０は、該当ファイル実体が存在しない場合、空白ウインドウがディスプレイ１４に表示されるように決定する。
【００５７】
図１１は、多層ワーク支援装置１０における全体動作（Ｓ２０）を示すフローチャートである。
図１１に示すように、ステップ２００（Ｓ２００）において、ユーザが、左のディスプレイ１４ｂに表示されているウインドウをドラッグし、このウインドウを中央のディスプレイ１４ａの方向に移動させる。ウインドウが移動されて、ウインドウの右端が欠けた時点で、以降の処理が実行される。なお、ウインドウを移動させる指示は、図５に示される移動ボタンが押下されることにより行われてもよい。
【００５８】
ステップ２０２（Ｓ２０２）において、制御装置１００ｂ上で動作する表示プログラム２００の制御部２０６は、検索部２０８を介して、情報記憶部２１４に記憶されているファイル情報シートから、当該ウインドウのファイル情報を取得する。
ステップ２０４（Ｓ２０４）において、制御部２０６は、中央のディスプレイ１４ａに対応する制御装置１００ａに対して、通信部２０４を介して、取得されたファイル情報を送信する。制御装置１００ａでは、制御装置１００ａ上で動作する表示プログラム２００の制御部２０６が、通信部２０４を介して、送信されたファイル情報を受信する。
ステップ２０６（Ｓ２０６）において、表示部２１０は、ディスプレイ１４ｂへの表示のための前処理を行い、ディスプレイ１４ｂに対象を表示する。
【００５９】
中央のディスプレイ１４ａに対応する制御装置１００ａでは、表示プログラム２００が、送信されたファイル情報を受信すると、表示方法決定処理（Ｓ１０；図１０）を行って、ディスプレイ１４ａへの表示方法を決定する。
ユーザが、中央のディスプレイ１４ａに表示されているウインドウをドラッグし、このウインドウを右のディスプレイ１４ｃの方向に移動させ、ウインドウの右端が欠けた時点で、さらに以降の処理が実行される。
【００６０】
ステップ２０８（Ｓ２０８）において、制御部２０６は、右のディスプレイ１４ｃに対応する制御装置１００ｃに対して、通信部２０４を介して、取得されたファイル情報を送信する。制御装置１００ｃでは、制御装置１００ｃ上で動作する表示プログラム２００の制御部２０６が、通信部２０４を介して、送信されたファイル情報を受信する。
ステップ２１０（Ｓ２１０）において、表示部２１０は、ディスプレイ１４ａへの表示のための前処理を行い、ディスプレイ１４ａに対象を表示する。なお、Ｓ２１０の処理は、制御装置１００ａに対応するディスプレイ１４ａへの表示方法決定処理の終了後であれば行われてよく、Ｓ２０８の処理の前に行われてもよい。
【００６１】
同様にして、右のディスプレイ１４ｃに対応する制御装置１００ｃでは、表示プログラム２００が、送信されたファイル情報を受信すると、表示方法決定処理（Ｓ１０）を行って、ディスプレイ１４ｃへの表示方法を決定する。
その後、ステップ２１２（Ｓ２１２）において、表示部２１０は、ディスプレイ１４ｃへの表示のための前処理を行い、ディスプレイ１４ｃに対象を表示する。
【００６２】
以上説明したように、本発明に係る多層ワーク支援装置１０は、少なくとも２つの表示領域（ディスプレイ１４）と、前記表示領域それぞれに対応する少なくとも２つのコンピュータ（制御装置１００）と、前記コンピュータのいずれかに対応する前記表示領域に表示されている対象を、このコンピュータとは異なるコンピュータに対応する前記表示領域に移動して表示させる制御手段（制御部２０６）と前記制御手段が前記対象を移動させた際に、前記対象に対して予め設定された処理を実行する処理手段（検索部２０８、表示部２１０、保存部２１２）とを有する。
これにより、複数のコンピュータ間で、データの管理並びに検索が簡易に行われことができ、ユーザは、それぞれのコンピュータで保存されているデータを意識することなく、複数のディスプレイ１４にデータを表示させることができる。
【００６３】
また、本発明に係る多層ワーク支援装置１０は、前記制御手段に対して、前記表示領域に表示されている対象を、他の表示領域に移動させる指示をする移動指示手段（マウス等の入力装置２６、図５に示される移動ボタン）をさらに有する。これにより、ユーザは、データの保存場所を意識することなく、対象を表示させたいディスプレイ１４に、対象を簡易に表示させることができる。
【００６４】
さらに、多層ワーク支援装置１０は、対象が前記制御手段により移動された際に、前記対象の保存処理を実行する。これにより、ユーザは、データの保存について意識することなく、対象をディスプレイ間で移動させる操作により、データをバックアップを自動的に行うことができる。
【００６５】
次に、本発明の第２の実施形態に係る多層ワーク支援装置１０を説明する。
図１２は、本実施形態において、制御装置１００ｂに対応するディスプレイ１４ｂに表示されている対象（ウインドウ１４０）を、この制御装置１００ｂとは異なる制御装置１００ａ，１００ｃに対応するディスプレイ１４ａ，１４ｃに移動して表示させる方法を説明する図である。
図１２に示されるように、本実施形態に係る多層ワーク支援装置１０は、ウインドウ１４０が、図中の矢印Ａのようなドラッグ操作により移動されて、ディスプレイ１４ｂの右端からさらに右に移動されると、中央のディスプレイ１４ａにおいて、関連ウインドウ１４２−１，１４２−２とともに表示される点で、第１の実施形態に係る多層ワーク支援装置１０とは異なる。
【００６６】
本実施形態においては、ウインドウ１４０がディスプレイ１４間を移動する場合、関連情報検索処理が実行され、この関連情報検索処理では、関連情報も検索対象とされる。ここで、関連情報は、移動された対象に予め付与されているキーワード（図６）である。関連情報検索処理は、これらのキーワードに基づいて、移動先の制御装置１００ａの記憶装置１１０に記憶されている対象に対して実行される。記憶されている対象が、当該キーワードの少なくともいずれかを付与されている場合、対象は、関連ウインドウ１４２−１，１４２−２として、移動されたウインドウ１４０とともにディスプレイ１４ａに表示される。
【００６７】
同様にして、ウインドウ１４０が、中央のディスプレイ１４ａから右のディスプレイ１４ｃに移動されると、右のディスプレイに対応する制御装置１００ｃにおいて、関連情報検索処理が実行される。この関連情報検索処理は、移動されたウインドウ１４０の対象に付与されているキーワードに基づいて、制御装置１００ｃの記憶装置１１０に記憶されている対象に対して実行される。記憶されている対象が、当該キーワードの少なくともいずれかを付与されている場合、対象は、１４２−３〜１４２−５として、移動されたウインドウ１４０とともにディスプレイ１４ｃに表示される。
【００６８】
表示プログラム２００の関連情報検索部２０８は、制御部２０６の制御により、送信されたファイル属性であって、送信された対象に付与されているキーワードを含むファイル属性に基づいて、情報記憶部２１４に記憶されているファイル情報シートを参照して関連情報検索処理を行う。関連情報検索部２０８は、送信された対象に付与されているキーワードの少なくともいずれかをキーワードとして付与されている対象（関連する対象）を抽出し、送信された対象に関連する対象として制御部２０６に対して出力する。
【００６９】
表示部２１０は、送信された対象に加えて、この対象に関連する対象をウインドウとしてディスプレイ１４に表示する。表示部２１０は、関連する対象が、送信された対象と関連する度合い（関連度）に応じて、関連する対象のウインドウ１４２の大きさを決定してもよい。関連度は、例えば、送信された対象、及び当該対象に関連する対象の双方に付与されているキーワードの数に応じて決定される。また、表示部２１０は、関連度に応じて、送信された対象と関連対象との距離を決定してもよい。例えば、表示部２１０は、関連度がより大きい関連対象のウインドウ１４２が、送信された対象のウインドウ１４０により近く表示されるように、ウインドウの位置を決定する。
【００７０】
図１３は、本実施形態において、対象の移動先の制御装置１００において、表示プログラム２００により実行される表示方法決定処理（Ｓ３０）を示すフローチャートである。なお、図１３に示された各処理のうち、図１０に示された処理と実質的に同一のものには同一の符号が付されている。
図１３に示すように、Ｓ１００の処理において、表示プログラム２００の制御部２０６は、通信部２０４を介してフィル情報を受信する。
【００７１】
ステップ３０２（Ｓ３０２）において、関連情報検索部２０８は、制御部２０６に制御されて、送信された対象のファイル情報並びにキーワードに基づいて、送信された対象及び当該対象に関連する対象を検索する。関連情報検索部２０８は、検索結果を制御部２０６に対して出力する。
【００７２】
Ｓ１０４〜Ｓ１０６の処理で、受信したファイル情報に該当するファイル実体が情報記憶部２１４に存在するか否かが判断され、ファイル実体が存在しない場合、当該ファイル実体が保存される。
ステップ３０８（Ｓ３０８）において、表示部２１０は、送信された対象のウインドウと、当該対象に関連する対象のウインドウとを、ディスプレイ１４に表示する。
【００７３】
このようにして、多層ワーク支援装置１０は、いずれかのディスプレイ１４に表示されている対象が当該ディスプレイ１４とは異なるディスプレイ１４に移動されると、移動された対象と、当該対象に関連する対象とを検索して、ディスプレイ１４に表示する。
これにより、ユーザは、それぞれのコンピュータで保存されているデータを意識することなく、簡易な操作により、互いに関連する情報を認識することができる。
【００７４】
なお、多層ワーク支援装置１０は、いずれかのディスプレイ１４に表示されている対象が当該ディスプレイ１４とは異なるディスプレイ１４に移動された場合、当該移動された対象を拡大して表示してもよい。又は、多層ワーク支援装置１０は、この場合、当該移動された対象を縮小して表示してもよい。このようにして、多層ワーク支援装置１０は、対象の移動操作を受け付けて、当該受け付けられた操作に基づいて、対象の表示態様を変更する。これにより、ユーザは、対象を他のディスプレイ１４に移動させるだけで、対象の大きさを変更することができる。 
【００７５】
次に、本発明の第３の実施形態に係る多層ワーク支援装置１０を説明する。
本実施形態に係る多層ワーク支援装置１０は、ユーザの視線情報、脳波情報、発話情報、マウス操作履歴並びにキーボード操作履歴を取得して、対象の移動を決定する点で、第１の実施形態に係る多層ワーク支援装置１０とは異なる。
【００７６】
本実施形態における多層ワーク支援装置１０は、ユーザの視線情報等を取得し、これらの情報を判断して、左右いずれかのディスプレイ１４ｂ，１４ｃに表示されている対象を、中央のディスプレイ１４ａに移動して表示する。より具体的には、ユーザが、左右いずれかのディスプレイ１４ｂ，１４ｃに表示されている対象を、所定時間以上、注視した場合、多層ワーク支援装置１０は、対象の移動要求を受け付けたと判断し、当該対象ウインドウを中央のディスプレイ１４ａに移動して表示する。
【００７７】
また、本実施形態に係る多層ワーク支援装置１０は、ユーザの発話等の音声情報に基づいて、ウインドウの表示領域を変更してもよい。多層ワーク支援装置１０は、装置本体１２に接続されたマイク（不図示）を介して音声情報を取得する。取得された音声情報の音量が例えば５０ｄＢを超えた場合、多層ワーク支援装置１０は、対象ウインドウの表示領域の変更を行う旨の要求を受け付けたと判断し、ウインドウの表示領域の変更を行う。
【００７８】
図１４は、注視された対象の移動を説明する図である。
図１４に示すように、多層ワーク支援装置１０は、ユーザが、例えばウインドウ１４０−２を所定時間以上注視したと判断した場合、当該ウインドウ１４０−２を中央のディスプレイ１４ａに移動して、拡大して表示する。このとき、対象が、中央のディスプレイ１４に対応する制御装置１００ａに記憶されていない場合、多層ワーク支援装置１０は、当該対象を制御装置１００ａに保存した上でディスプレイ１４ａに表示する。
【００７９】
これにより、ユーザは、例えば、左のディスプレイ１４ｂ上でマウス操作をしながら、右のディスプレイ１４ｃに対して視線入力を行うことができる。また、注視された対象は、異なるディスプレイ１４に移動され、この移動先のディスプレイ１４に対応する制御装置１００に保存されて管理される。したがって、ユーザは、複数のコンピュータ間で、データの保存場所を意識することなく、複数の仕事をこなすことができる。
さらに、多層ワーク支援装置１０は、注視された対象に基づいて、移動先の制御装置１００において関連情報検索（図１２）を行ってもよい。また、多層ワーク支援装置１０は、対象の移動に伴って、対象の拡大表示を行ってもよい。
【００８０】
図１５は、本実施形態に係る多層ワーク支援装置１０で動作する表示プログラム３００を示す図である。
図１５に例示するように、本実施形態に係る多層ワーク支援装置１０は、生体情報取得装置２８及び音声情報取得装置３０をさらに有し、表示プログラム３００は、生体情報取得部３０２、音声情報取得部３０４及び操作情報取得部３０６をさらに有する点で、第１の実施形態に係る多層ワーク支援装置１０とは異なる。本実施形態においては、多層ワーク支援装置１０は、生体情報取得装置２８及び音声情報取得装置３０により検出された生体情報等に基づいて、対象の表示方法を決定する。なお、図１５に示された各構成のうち、図９に示された構成と実質的に同一のものには同一の符号が付されている。
【００８１】
生体情報取得装置２８は、ユーザ（生体）の情報、例えば、呼吸、心拍、脈拍、及び瞬き、瞳孔径、注視対象並びに注視時間など眼球に係る情報を取得する装置であって、装置本体１２に設けられている。生体情報取得装置２８は、デスクワーク中のユーザから任意のタイミングでこれらの情報を取得し、表示プログラム３００に対して出力する。
【００８２】
音声情報取得装置３０は、ユーザの発話情報を取得する装置であって、装置本体１２に接続して用いられる。音声情報取得装置３０は、例えばマイクである。音声情報取得装置３０も、生体情報取得装置２８と同様にして、取得された情報を表示プログラム３００に対して出力する。
【００８３】
表示プログラム３００において、生体情報取得部３０２は、生体情報取得装置２８から入力された生体情報を、ＵＩ部２０２を介して受け付けて、制御部２０６に対して出力する。
音声情報取得部３０４は、音声情報取得装置３０から入力された音声情報を、ＵＩ部２０２を介して受け付けて、制御部２０６に対して出力する。
【００８４】
操作情報取得部３０６は、ユーザによる情報アクセス装置１６及び入力装置２６の少なくともいずれかの操作情報をＵＩ部２０２を介して受け付けて、操作履歴を保持する。また、操作情報取得部３０６は、操作情報を制御部２０６に対して出力する。
制御部２０６は、生体情報取得部３０２、音声情報取得部３０４及び操作情報取得部３０６から入力された情報を統合して、後述する統合シートを作成し、生体情報等を管理する。制御部２０６は、作成された統合シートを表示部２１０に対して出力する。
【００８５】
表示部２１０は、この統合シートに基づいて、表示対象の表示方法を決定する。表示部２１０は、所定のウインドウに対する注視時間が所定時間を超えている場合、及び音声情報の音量が所定の大きさを超えた場合の少なくともいずれかの場合、当該ウインドウを現在表示されているディスプレイ１４とは異なるディスプレイ１４に移動させて表示する。例えば、表示部２１０は、左右いずれかのディスプレイ１４ｂ，１４ｃに表示されている対象に対する注視時間が所定時間を超えている場合、当該ウインドウを中央のディスプレイ１４ａに移動させて表示する。なお、表示方法変更の判定基準は、これらに限定されず、後述する統合シートに含まれる情報に基づいて、表示部２１０により制御されてもよい。
【００８６】
図１６は、生体情報取得装置２８等を介して取得された生体情報等を管理する統合シートを例示する図である。
図１６に例示するように、統合シートは、生体情報、音声情報及び操作情報を含む。ここで、生体情報は、注視座標（ｘ，ｙ）、注視時間、瞬目の有無及び脳波を含み、音声情報は、発話の有無及び音量を含み、操作情報は、キーボード入力及びマウス入力を含む。統合シートにおいて、それぞれの行は、これらの項目が時刻ｔに取得されたことを示す。生体情報等は、所定の時間間隔で取得されてもよいし、いずれかの項目が予め定められた所定値を上回ったり下回ったりしたタイミングで取得されてもよい。
【００８７】
なお、統合シートは、これらの項目だけではなく、生体情報取得装置２８等により取得された他の項目を含んでもよい。また、生体情報等は表形式で管理されなくてもよく、制御部２０６が、所定の判定基準に基づいて生体情報等を判定し、その都度、表示部２１０を制御して対象の表示方法を変更してもよい。
【００８８】
ここで、音声情報は、多装置本体１２に接続されたマイク（不図示）を介して取得される。取得された音声情報の音量が例えば５０ｄＢを超えた場合、多層ワーク支援装置１０は、対象ウインドウの移動、拡大及び最大化の少なくともいずれかを行う旨の要求を受け付けたと判断し、ウインドウの移動等を行う。
【００８９】
図１７は、本発明の第３の実施形態に係る多層ワーク支援装置１０における全体動作（Ｓ４０）を示すフローチャートである。
図１７に示すように、ステップ４００（Ｓ４００）において、生体情報取得装置２８等は、多層ワーク支援装置１０を操作しているユーザの生体情報等を、例えば所定の時間間隔で取得して、制御装置１００上で動作する表示プログラム２００に対して出力する。表示プログラム３００の生体情報取得部３０２等は、ＵＩ部２０２を介して生体情報を取得して、制御部２０６に対して出力する。
【００９０】
ステップ４０２（Ｓ４０２）において、制御部２０６は、入力された生体情報等を統合し、統合シートを作成して表示部２１０に対して出力する。表示部２１０は、生体情報等が含まれた統合シートを参照し、所定の判断基準に基づいて移動を決定する。なお、制御部２０６は、作成された統合シートを参照し、所定の判定基準に基づいて、ディスプレイ１４に対する対象の移動を決定し、決定された内容を表示部２１０に対して出力してもよい。 
ステップ４０４（Ｓ４０４）において、表示部２１０は、ファイルの移動が指示された場合、制御部２０６の制御に基づいて対象ウインドウをディスプレイ１４に表示する。
【００９１】
以上説明したように、本発明の本実施形態に係る多層ワーク支援装置１０は、生体情報取得装置２８及び音声情報取得装置３０をさらに有し、生体情報取得装置２８等により検出された生体情報等に基づいて、ディスプレイ１４に表示されている対象を他のディスプレイ１４に移動させる。
これにより、多層ワーク支援装置１０は、マウスやキーボードだけでなく生体情報等の複数の指示手段を用いて制御するので、ユーザは、「移動対象を注視しながら、手元では異なる作業を行う」等、複数のコンピュータ間で管理されているデータを、効率よく移動、表示することができる。  
【００９２】
なお、上記実施例では、生体情報，音声情報等がユーザ情報として用いられているが、本発明は、本実施例に限定されない。例えば、多層ワーク支援装置１０は、ユーザそれぞれの好みの音楽ＣＤを記憶し、ユーザが好んでよく聞く音楽ＣＤ等を用いて、ユーザ固有のリズムを算出してもよい。また、多層ワーク支援装置１０は、生体情報と併用して、ユーザがお気に入りの音楽ＣＤを聴いている際の生体情報を用いてもよい。
【００９３】
図１８及び図１９は、多層ワーク支援装置１０の具体的なシステム構成の変形例を例示する図である。
図１８に例示するように、マウス、キーボード等の入力装置２６は、中継装置（管理サーバ）１１２ではなく、いずれかの制御装置１００ａ〜１００ｃに接続されてもよい。この場合、入力装置２６が接続された制御装置１００ａは、入力装置２６からの操作情報を管理サーバ１１２に対して出力し、管理サーバ１１２は他の制御装置１００ｂ，１００ｃに対して当該操作情報を出力する。
【００９４】
また、図１９に例示するように、複数の入力装置２６（例えばマウス及びキーボード）が、異なる制御装置１００に接続されてもよい。この場合、それぞれの入力装置２６が接続された制御装置１００は、入力装置２６の操作情報を管理サーバ１１２に対して出力し、管理サーバ１１２は任意の制御装置１００に対して当該操作情報を出力する。
【図面の簡単な説明】
【００９５】
【図１】本発明の実施形態に係る多層ワーク支援装置１０を示す図である。
【図２】多層ワーク支援装置１０において用いられるコンピュータのハードウェア構成を示す図である。
【図３】多層ワーク支援装置１０の具体的なシステム構成図を例示する図である。
【図４】ドラッグ操作と、それに伴う移動対象のデータ移動を示した図である。
【図５】情報アクセス装置１６に表示されるボタン群を例示する図である。
【図６】情報指定ボタン１８０それぞれにより指定される対象を管理するファイル情報シートを例示する。
【図７】制御装置１００ｂに対応するディスプレイ１４ｂに表示されている対象を、この制御装置１００ｂとは異なる制御装置１００ａ，１００ｃに対応するディスプレイ１４ａ，１４ｃに移動して表示させる方法を説明する図である。
【図８】ファイル実体の保存処理中の表示方法を説明する図である。
【図９】多層ワーク支援装置１０の制御装置１００により実行される表示プログラム２００の構成を示す図である。
【図１０】本発明の第１の実施形態において、対象の移動先の制御装置１００において、表示プログラム２００により実行される表示方法決定処理（Ｓ１０）を示すフローチャートである。
【図１１】多層ワーク支援装置１０における全体動作（Ｓ２０）を示すフローチャートである。
【図１２】本発明の第２の実施形態において、制御装置１００ｂに対応するディスプレイ１４ｂに表示されている対象（ウインドウ１４０）を、この制御装置１００ｂとは異なる制御装置１００ａ，１００ｃに対応するディスプレイ１４ａ，１４ｃに移動して表示させる方法を説明する図である。
【図１３】本発明の第２の実施形態において、対象の移動先の制御装置１００において、表示プログラム２００により実行される表示方法決定処理（Ｓ３０）を示すフローチャートである。
【図１４】注視された対象の移動を説明する図である。
【図１５】本発明の第３の実施形態に係る多層ワーク支援装置１０で動作する表示プログラム３００を示す図である。
【図１６】生体情報取得装置２８等を介して取得された生体情報等を管理する統合シートを例示する図である。
【図１７】本発明の第３の実施形態に係る多層ワーク支援装置１０における全体動作（Ｓ４０）を示すフローチャートである。
【図１８】多層ワーク支援装置１０の具体的なシステム構成の第１の変形例を例示する図である。
【図１９】多層ワーク支援装置１０の具体的なシステム構成の第２の変形例を例示する図である。
【符号の説明】
【００９６】
２ ネットワーク
１０ 多層ワーク支援装置
１２ 装置本体
１４ ディスプレイ
１６ 情報アクセス装置
１８ ボタン
２６ 入力装置
２８ 生体情報取得装置
３０ 音声情報取得装置
１００ 制御装置
１０２ 処理装置
１０４  ＣＰＵ
１０６ メモリ
１０８  通信ＩＦ
１１０ 記憶装置
１１２ 中継装置
１８０ 情報指定ボタン
１８２ 移動ボタン
１８２ 制御ボタン
２００ 表示プログラム
２０２ ＵＩ部
２０４ 通信部
２０６ 制御部
２０８ 検索部
２１０ 表示部
２１２ 保存部
２１４ 情報記憶部
３００ 表示プログラム
３０２ 生体情報取得部
３０４ 音声情報取得部
３０６ 操作情報取得部
【図１】
2007156877.tif 000003
【図２】
2007156877.tif 000004
【図３】
2007156877.tif 000005
【図４】
2007156877.tif 000006
【図５】
2007156877.tif 000007
【図６】
2007156877.tif 000008
【図７】
2007156877.tif 000009
【図８】
2007156877.tif 000010
【図９】
2007156877.tif 000011
【図１０】
2007156877.tif 000012
【図１１】
2007156877.tif 000013
【図１２】
2007156877.tif 000014
【図１３】
2007156877.tif 000015
【図１４】
2007156877.tif 000016
【図１５】
2007156877.tif 000017
【図１６】
2007156877.tif 000018
【図１７】
2007156877.tif 000019
【図１８】
2007156877.tif 000020
【図１９】
2007156877.tif 000021